(57)【要約】カセット形態要素装置は、駆動ホイール及び発生器を有する。駆動ホイールは、カセット形態要素装置がカセット再生装置の再生位置に挿入されるときカセット再生装置のピンチローラーと摩擦接触されるよう位置決めされる。発生器は、駆動ホイールによって駆動され、カセット再生装置が駆動ホイールを駆動するときカセット形態要素装置及び外部装置の一方或いは両方を作動するよう電力を発生する。カセット形態要素装置は、読取り／書込みヘッドを有するＭＰ３を含んでもよい。読取り／書込みヘッドは、カセット形態要素装置がカセット再生装置の再生位置に挿入されると読取り／書込みヘッドがＭＰ３プレーヤーからカセット再生装置にコンテンツを供給し得るよう位置決めされる。カセット形態要素装置は、発生器が再充電可能な電池を再充電することができるよう、発生器に接続されている再充電可能な電池を有効的に含んでもよい。一実施例では、カセット形態要素装置は、オーディオカセット形態要素装置である。
2004505329.tif 000002
【特許請求の範囲】
【請求項１】
カセット再生装置によって駆動されるよう構成される駆動装置と、
上記駆動装置に有効的に接続され、上記駆動装置が上記カセット再生装置によって駆動されるとき少なくとも一つのカセット形態要素装置及び外部装置を作動させるために電力を発生するよう構成される発生器とを有するカセット形態要素装置。
【請求項２】
上記発生器に有効的に接続される制御装置と、
上記制御装置に接続され、上記カセット再生装置にコンテンツを供給するために上記制御装置と一緒に構成される読取り／書込みヘッドとを有する請求項１記載のカセット形態要素装置。
【請求項３】
オーディオカセット形態要素装置であり、上記制御装置がコンテンツを記憶し、上記コンテンツを上記読取り／書込みヘッドを通じて上記カセットプレーヤーに供給するよう構成されるメモリを上記制御装置が含む請求項２記載のカセット形態要素装置。
【請求項４】
オーディオカセット形態要素装置である請求項３記載のカセット形態要素装置。
【請求項５】
ＭＰＥＧオーディオプレーヤー装置である請求項４記載のカセット形態要素装置。
【請求項６】
上記制御装置、及び、上記発生器に有効的に接続される再充電可能な電池を有し、上記発生器は上記再充電可能な電池を再充電するよう構成され、上記再充電可能な電池は上記カセット形態要素装置をスタンド・アローンモードで作動させるよう構成される請求項２記載のカセット形態要素装置。
【請求項７】
オーディオカセット形態要素を有するＭＰ３プレーヤーであって、
オーディオカセット装置のピンチローラーに摩擦的に接続されるよう構成される駆動ホイールと、
上記駆動ホイールに有効的に接続され、上記駆動ホイールが上記オーディオカセット装置によって駆動されるとき上記ＭＰ３プレーヤーを作動するよう構成されるＭＰ３プレーヤー。
【請求項８】
上記ＭＰ３プレーヤー及び上記発生器に有効的に接続される再充電可能な電池を有し、上記発生器は、上記駆動ホイールが上記オーディオカセット装置によって駆動されるとき上記電池を再充電するよう構成され、上記再充電可能な電池は、上記ＭＰ３プレーヤーをスタンド・アローンモードで作動させるよう構成される請求項７記載のＭＰ３プレーヤー。
【請求項９】
再生装置を作動する方法であって、
カセット装置のピンチローラーと摩擦接触するよう発生器の駆動装置を配置し、
上記ピンチローラーによって上記駆動装置を駆動し、
作動エネルギーを生成する方法。
【請求項１０】
上記駆動装置を駆動することは、上記再生装置の電圧蓄積装置を充電することを更に有する請求項９記載の方法。
【発明の詳細な説明】
【０００１】
［発明の分野］
本発明は、一般的に、電子装置を作動又は再作動するために電力を生成する装置に関わる。特に、本発明は、第２の装置の通常の作動過程中に電力を生成するよう駆動される、電力を生成する装置に関わる。
【０００２】
［発明の背景］
オーディオ及びビデオカセットテーププレーヤー／レコーダーが公知である。これら装置の作動中、オーディオ又はビデオテープを夫々含むオーディオ或いはビデオカセットのような適切なカセットがテーププレーヤー装置の中に挿入される。図１は、オーディオカセットテーププレーヤー装置の一部分及びオーディオカセットテープの例を示す図である。オーディオカセットプレーヤーからスピンドルＳ１及びＳ２が示される。これらスピンドルは、テープリールＴ１及びＴ２からオーディオカセットテープを巻くことを補助するために利用される。作動中、テープリールＴ１、Ｔ２の一方が供給リールとして作動し、オーディオテープを供給し、他方が巻取りリールとして作動しオーディオテープが巻取りの際に正しく巻かれていることを確実にする。オーディオテープの路は、典型的には、オーディオカセットの読取り／書込みヘッドがオーディオカセットに接触することができる位置１３０を通るようオーディオカセットに含まれる２つの案内ローラー（図示せず）によって案内される。オーディオカセットプレーヤーは、オーディオカセット中にある穴を通るキャプスタン１２０、及び、ピンチローラー１１０を有する。オーディオテープの再生、録音、早送り等の間、オーディオテープを供給リールから引出し巻取りリールに巻かせるようにするために、キャプスタン１２０及びピンチローラー１１０は、間にオーディオテープを位置決めして一緒に合わされる。ビデオカセットプレーヤーも同様に作動する。
【０００３】
更に、オーディオカセットと同様の形態要素（ｆｏｒｍ　ｆａｃｔｏｒ）を有するオーディオインタフェースが利用されてもよく、ポータブル・コンパクトディスク（ＣＤ）プレーヤーはオーディオカセットプレーヤーを有するカーステレオのような固定のステレオシステムを通じて再生され得る。作動中、オーディインタフェースは、ＣＤプレーヤーの回線レベル出力に差し込まれる延長コードを有する。オーディオインタフェースは、カーステレオのカセットプレーヤーの中に挿入されることが意図され、上記位置１３０に略対応する制御可能な磁気源を有する。その後、ＣＤプレーヤーがＣＤを再生するとき、ＣＤコンテンツが磁気源を制御し、対応する磁場を生成する。オーディオカセットプレーヤーの読取り／書込みヘッドは、この磁場を読取り、それによりオーディオカセットプレーヤーはカースピーカーをわたってＣＤコンテンツを再生する。
【０００４】
ポータブル・ソリッド・ステート・プレーヤー、例えば、動画エキスパート・グループ（Ｍｏｖｉｎｇ　Ｐｉｃｔｕｒｅ　Ｅｘｐｅｒｔ　Ｇｒｏｕｐ　３）（ＭＰ３）に従うオーディオコンテンツ、並びに、他の形態で記憶されているコンテンツを再生するプレーヤーも公知である。これらソリッド・ステートプレーヤーは、圧縮された形態でソリッド・ステート・メモリにコンテンツを記憶する。再生動作中、コンテンツは、元の圧縮されていないコンテンツと略同等のものに変換して戻され、典型的にはスピーカー或いはヘッドホンを通じて再生される。ソリッド・ステートプレーヤーは、丈夫であり、再生動作中の衝撃によりコンテンツがスキップされることに対して耐性があり、持ち運びできるため、益々人気が出てきている。特定のバージョンのソリッド・ステートプレーヤーは、ソリッド・ステートプレーヤーに記憶されたコンテンツがポータブルＣＤプレーヤーに関して説明したのと同様に固定されたステレオシステムを通じて再生され得るよう、オーディオカセット形態要素を有して構成される。
【０００５】
これら全てのポータブルプレーヤーは、ローカル電源によって給電される点で共通の制限を有する。持ち運び可能な点に関して、これらポータブルは、典型的には電池電源を含む。電池電源は、再充電可能或いは再充電可能でない電池のいずれでもよい。これら電池電源のいずれも、ポータブルプレーヤーが再生される固定の比較的短かい時間間隔を有し、電池は充電或いは再充電されなくてはならないといった問題がある。ポータブルプレーヤーの動作を拡大するためには、これらポータブルは、再生及び充電動作のために例えば、車のシガレットライターソケット、交流電源等を介して固定された電源に差し込まれてもよいが、これは更に充電装置を必要とする。
【０００６】
従って、本発明は、従来技術の不都合な点を克服することを目的とする。
【０００７】
［発明の要約］
本発明は、駆動ホイール及び発生器を含むカセット形態要素装置に関わる。駆動ホイールは、カセット形態要素装置がカセット再生装置の再生位置に挿入されるときカセット再生装置のピンチローラーと摩擦接触されるよう位置決めされる。発生器は、駆動ホイールによって駆動され、カセット再生装置が駆動ホイールを駆動するときカセット形態要素装置及び外部装置の一方或いは両方を作動するよう電力を発生する。
【０００８】
一実施例では、カセット形態要素装置は、読取り／書込みヘッドを有するＭＰ３を含んでもよい。読取り／書込みヘッドは、カセット形態要素装置がカセット再生装置の再生位置に挿入されると読取り／書込みヘッドがＭＰ３プレーヤーからカセット再生装置にコンテンツを供給し得るよう位置決めされる。カセット形態要素装置は、発生器が再充電可能な電池を再充電することができるよう、発生器に接続されている再充電可能な電池を含んでもよい。一実施例では、カセット形態要素装置は、オーディオカセット形態要素装置である。
【０００９】
［発明の詳細な説明］
以下に、図面と共に考慮すると上記特徴及び利点、並びに更なる特徴及び利点を示す本発明の実施例を説明する。図面は、単に例示目的のために含まれ、本発明の範囲を表示しないことは明らかに理解されるべきである。本発明は、添付の図面と共に最も良く理解される。
【００１０】
以下の説明においてある用語は、説明を容易にするために特定の実施例或いはシステムに関して例示的に説明される。しかしながら、当業者に容易に明らかとなるように、これらの用語は、本発明が容易に適用され得る他の同様の適用法及び実施例を含むと理解されるべきである。例えば、オーディオカセット形態要素といった用語は、本願では、オーディオカセットの代わりに使用することを可能にするために、オーディオカセットとして適切な形状及び大きさを有する装置を説明するものとして理解されるべきである。当業者に容易に明らかとなるように、本発明の精神及び範囲から逸脱すること無く他の装置と作動するよう他の形態要素装置が形成されてもよい。従って、オーディオカセット形態要素装置が本願で例示的に説明されているが、この用語は、本発明に従って作動されるよう利用され得る他の形態要素装置を含むものとして理解されるべきである。例えば、本発明による装置は、ビデオカセットレコーダー（ＶＣＲ）カセット形態要素を有し、それにより、ＶＣＲと共に本発明に従って動作し得る。
【００１１】
図２は、本発明の実施例によるオーディオカセットテープ形態要素を有する装置２００を示す図である。装置２００は、ソリッド・ステートＭＰ３プレーヤー及びメモリ２８０を含む。ＭＰ３プレーヤー及びメモリの動作は、技術において周知であり、本発明による装置２００の動作を説明するに必要な以外は本願で更に説明しない。
【００１２】
ＭＰ３プレーヤー及びメモリ２８０は、制御可能な磁場発生器２９０に有効的に結合されている。磁場発生器２９０は、オーディオカセットプレーヤー（図示せず）の読取り／書込みヘッドに対応するよう位置決めされる。プレーヤー及びメモリ２８０は、ヘッドホン用ジャック／入力２７０及び液晶ディスプレイ（ＬＣＤ）及び制御部２６０にも接続されている。更に、装置２００は、ニッケルカドミウム電池のような内部電源２５０を有してもよく、これは、ポーターブルモード（例えば、オーディオカセットプレーヤーから外側）では、装置２００を給電するために使用され得る。当業者に容易に明らかとなるように、他の適切な内部電源が利用されてもよい。
【００１３】
本発明において装置２００は、ＬＣＤ及び制御部２６０、ＭＰ３及びメモリ２８０、及び、読取り／書込みヘッド２９０に接続２９０を介して接続される発生器／ダイナモ２４０も含む。発生器／ダイナモ２４０は、接続２９５を介して電池２５０にも接続されている。当業者に容易に明らかとなるように、発生器／ダイナモは、電池２５０、及び、装置２００の構成要素及び制御部に供給される電圧及び電流を調整する他の構成要素を含んでもよい。発生器／ダイナモ２４０は、本発明の実施例に従って装置２００を給電し、電池２５０を再充電するために利用されてもよい。電池２５０は、装置２００がオーディオカセットプレーヤーに挿入されていないときに装置２００を作動させるために利用されてもよく、これは、装置２００のスタンド・アローンモードとしても知られている。
【００１４】
発生器／ダイナモ２４０は、駆動ホイール２２０に結合されている。駆動ホイール２２０は、装置２００がオーディオカセットプレートの中に挿入され、再生、早送り等の動作が開始されるとオーディオカセットプレーヤーのピンチローラー２１０と摩擦接触するよう位置決めされる。このようにして、ピンチローラー２１０は、駆動ホイール２２０を介して、発生器／ダイナモ２４０を駆動するために利用されている。本発明によると、発生器／ダイナモ２４０は、装置２００を作動し、電池２５０を充電するために電力を発生する。
【００１５】
図示する実施例では、駆動ホイール２２０は、発生器／ダイナモ２４０の直接的な駆動ホイールである。しかしながら、当業者に容易に明らかであるように、駆動ホイール２２０は、本発明の他の実施例において動作するためにベルト駆動システム、歯車組立体等を介して発生器／ダイナモに結合されてもよい。
【００１６】
装置２００は、図示するように発生器／ダイナモ２４０に有効的に結合されている外部電源用ジャック２３０を介してポータブルＣＤプレーヤー、ポータブルカセットプレーヤー等のような他の装置を、給電し充電するために利用されてもよい。他の実施例では、装置２００は、ＭＰ３構成要素及び制御部を含まず、上記の通り外部装置用の電源として動作してもよい。これら実施例の幾つかにおいて装置２００は、読取り／書込みヘッド２９０を介しオーディオカセットプレーヤーを通って外部装置のオーディオを再生するために利用されてもよい。この動作では、ヘッドホン用ジャック／入力２７０は、読取り／書込みヘッド２９０を介して外部装置からカセットプレーヤーにオーディオコンテンツを供給する、外部装置からの回線入力として動作する。明らかに、上記したヘッドホン用ジャック及び入力は、図示していないが、実際上、別個の出力（ヘッドホン用ジャック）及び入力でもよい。
【００１７】
最後に、上記説明は、本発明を例示するに過ぎない。多数の代替の実施例が添付の特許請求の範囲の精神及び範囲から逸脱することなく当業者によって考案される。
【図面の簡単な説明】
【図１】
従来技術のオーディオテープ及びプレーヤーの一部分を示すブロック図である。
【図２】
本発明の実施例によるオーディオカセットテープ形態要素を含むＭＰ３プレーヤーを示す図である。
【図２】
2004505329.tif 000003
【国際公開パンフレット】
2004505329.tif 000004
2004505329.tif 000005
2004505329.tif 000006
2004505329.tif 000007
2004505329.tif 000008
2004505329.tif 000009
2004505329.tif 000010
2004505329.tif 000011
2004505329.tif 000012
【国際公開パンフレット（コレクトバージョン）】
2004505329.tif 000013
【国際調査報告】
2004505329.tif 000014
2004505329.tif 000015
2004505329.tif 000016